(57)【要約】【課題】ユーザがＳＮＳなどに投稿する時に、投稿した時点では位置情報をあいまいにして表示し、投稿した時点から一定時間経過後、又は、一定距離が離れるにつれて、位置情報が正確に表示される位置情報配信サーバ等を提供する。【解決手段】携帯端末２は、ＳＮＳアプリケーションを起動し（Ｓ１１）、イベント掲示板の表示要求を位置情報配信サーバ１に送信する（Ｓ１２）。位置情報配信サーバ１は、投稿者の移動距離に基づく投稿情報更新処理を実行して匿名化度合を取得し（Ｓ１４）、イベント掲示板に表示する匿名化情報を匿名化度合と投稿時位置情報に基づいて生成する（Ｓ１５）。位置情報配信サーバ１は、匿名化情報と、記事情報、イベント名、等を合わせてイベント掲示板の表示情報を生成し、イベント掲示板のＵＲＬを携帯端末２に送信し、携帯端末２は、イベント掲示板画面４１を表示する（Ｓ１７）。【選択図】図６
2014191414.tif 000002
【特許請求の範囲】
【請求項１】
ネットワークを介して携帯端末と通信接続され、複数の前記携帯端末に前記携帯端末の匿名化位置情報を含むソーシャルネットワーキングサービスに係る情報を提供する位置情報配信サーバであって、
前記携帯端末にユーザＩＤを与えるユーザＩＤ付与手段と、
前記携帯端末の前記ユーザＩＤと、位置情報と、記事情報とを含むユーザ投稿情報を前記携帯端末から受信するユーザ投稿情報取得手段と、
前記ユーザ投稿情報と、受信日時とを関連付けて記憶するユーザ投稿情報記憶手段と、
前記ユーザ投稿情報記憶手段にて記憶された情報に基づいて、匿名化パラメータを算出する匿名化パラメータ算出手段と、
前記匿名化パラメータと前記位置情報とに基づいて、当該位置情報の精度が低下した前記匿名化位置情報を生成する匿名化情報生成手段と、
前記ユーザ投稿情報取得手段にて受信した前記記事情報と、前記受信日時と、前記匿名化位置情報と、を前記携帯端末に提示するユーザ投稿情報提示手段と、
を備え、
前記匿名化パラメータは、前記受信日時からの経過時間、前記携帯端末の前記位置情報からの移動距離、ユーザ情報、人口密度、又は、イベント開催日に基づく値である
ことを特徴とする位置情報配信サーバ。
【請求項２】
前記匿名化情報生成手段は、
前記匿名化パラメータと前記受信日時とに基づいて、前記受信日時の精度が低下した前記匿名化受信日時を生成し、
前記ユーザ投稿情報提示手段は、
前記受信日時を前記匿名化受信日時とする
ことを特徴とする請求項１に記載の位置情報配信サーバ。
【請求項３】
前記匿名化情報生成手段は、
経過時間毎に前記携帯端末の前記位置情報を取得する
ことを特徴とする請求項１又は請求項２に記載の位置情報配信サーバ。
【請求項４】
前記位置情報配信サーバは、更に、
前記携帯端末から特定ユーザの登録を受付ける特定ユーザ登録手段を備え、
ユーザ投稿情報提示手段は、
前記ユーザ投稿情報取得手段にて受信した前記ユーザＩＤの当該特定ユーザＩＤが与えられた前記携帯端末には、前記記事情報と、前記受信日時と、前記位置情報と、を提示する
ことを特徴とする請求項１〜請求項３の少なくともいずれか１項に記載の位置情報配信サーバ。
【請求項５】
位置情報配信サーバは、更に、
イベントの位置情報と、イベントの開催時間とを含むイベント情報を予め記憶するイベント情報記憶手段を備え、
前記匿名化情報生成手段は、
前記イベントの位置情報と、前記イベントの開催時間とに基づいて、前記位置情報の精度の向上率を変更する
ことを特徴とする請求項１〜請求項４の少なくともいずれか１項に記載の位置情報配信サーバ。
【請求項６】
位置情報配信サーバは、更に、
イベントの位置情報と、イベントの開催時間とを含むイベント情報を予め記憶するイベント情報記憶手段を備え、
前記匿名化情報生成手段は、
前記イベントの位置情報における人口密度に応じて、前記位置情報の精度の向上率を変更する
ことを特徴とする請求項１〜請求項４の少なくともいずれか１項に記載の位置情報配信サーバ。
【請求項７】
前記ユーザ投稿情報記憶手段は、
前記受信日時と前記位置情報とを、前記イベント情報と照合して、前記携帯端末のユーザが、当該イベントに参加したか否かを判断する
ことを特徴とする請求項１〜請求項６の少なくともいずれか１項に記載の位置情報配信サーバ。
【請求項８】
携帯端末と位置情報配信サーバとがネットワークを介して通信接続され、複数の前記携帯端末と前記位置情報配信サーバとの間で、ソーシャルネットワーキングサービスに係る情報を共有する位置情報配信システムであって、
前記位置情報配信サーバは、
前記携帯端末にユーザＩＤを与えるユーザＩＤ付与手段と、
前記携帯端末の前記ユーザＩＤと、位置情報と、記事情報とを含むユーザ投稿情報を前記携帯端末から受信するユーザ投稿情報取得手段と、
前記ユーザ投稿情報と、受信日時とを関連付けて記憶するユーザ投稿情報記憶手段と、
前記ユーザ投稿情報記憶手段にて記憶された情報に基づいて、匿名化パラメータを算出する匿名化パラメータ算出手段と、
前記匿名化パラメータと前記位置情報とに基づいて、当該位置情報の精度が低下した前記匿名化位置情報を生成する匿名化情報生成手段と、
前記ユーザ投稿情報取得手段にて受信した前記記事情報と、前記受信日時と、前記匿名化位置情報と、を前記携帯端末に提示するユーザ投稿情報提示手段と、
を備え、
前記匿名化パラメータは、前記受信日時からの経過時間、前記携帯端末の前記位置情報からの移動距離、ユーザ情報、人口密度、又は、イベント開催日に基づく値である
ことを特徴とする位置情報配信システム。
【請求項９】
ネットワークを介して通信接続された複数の前記携帯端末に、前記携帯端末の匿名化位置情報を含むソーシャルネットワーキングサービスに係る情報を配信する位置情報配信方法であって、
前記携帯端末にユーザＩＤを与えるユーザＩＤ付与ステップと、
前記携帯端末の前記ユーザＩＤと、位置情報と、記事情報とを含むユーザ投稿情報を前記携帯端末から受信するユーザ投稿情報取得ステップと、
前記ユーザ投稿情報と、受信日時とを関連付けて記憶するユーザ投稿情報記憶ステップと、
前記ユーザ投稿情報記憶ステップにて記憶された情報に基づいて、匿名化パラメータを算出する匿名化パラメータ算出ステップと、
前記匿名化パラメータと前記位置情報とに基づいて、当該位置情報の精度が低下した前記匿名化位置情報を生成する匿名化情報生成ステップと、
前記ユーザ投稿情報取得ステップにて受信した前記記事情報と、前記受信日時と、前記匿名化位置情報と、を前記携帯端末に提示するユーザ投稿情報提示ステップと、
を含み、
前記匿名化パラメータは、前記受信日時からの経過時間、前記携帯端末の前記位置情報からの移動距離、ユーザ情報、人口密度、又は、イベント開催日に基づく値である
ことを特徴とする位置情報配信方法。
【請求項１０】
コンピュータを、ネットワークを介して通信接続された複数の前記携帯端末に、前記携帯端末の匿名化位置情報を含むソーシャルネットワーキングサービスに係る情報を配信する位置情報配信サーバとして機能させるためのプログラムであって、
コンピュータを、
前記携帯端末にユーザＩＤを与えるユーザＩＤ付与手段、
前記携帯端末の前記ユーザＩＤと、位置情報と、記事情報とを含むユーザ投稿情報を前記携帯端末から受信するユーザ投稿情報取得手段、
前記ユーザ投稿情報と、受信日時とを関連付けて記憶するユーザ投稿情報記憶手段、
前記ユーザ投稿情報記憶手段にて記憶された情報に基づいて、匿名化パラメータを算出する匿名化パラメータ算出手段、
前記匿名化パラメータと前記位置情報とに基づいて、当該位置情報の精度が低下した前記匿名化位置情報を生成する匿名化情報生成手段、
前記ユーザ投稿情報取得手段にて受信した前記記事情報と、前記受信日時と、前記匿名化位置情報と、を前記携帯端末に提示するユーザ投稿情報提示手段と、
として機能させ、
前記匿名化パラメータは、前記受信日時からの経過時間、前記携帯端末の前記位置情報からの移動距離、ユーザ情報、人口密度、又は、イベント開催日に基づく値である
ことを特徴とするプログラム。
【発明の詳細な説明】
【技術分野】
【０００１】
本発明は、ユーザが携帯端末から投稿した投稿情報に位置情報又は日時情報を付加して配信するサーバの技術に関し、特に、位置情報又は日時情報をあいまいにして配信する技術に関する。
【背景技術】
【０００２】
昨今、ソーシャルネットワーキングサービス(以下、ＳＮＳ（Social Networking Service）と表記)のうち、位置情報と連携したコミュニケーションを図ることができるサービスが注目を浴びている。このようなＳＮＳではリアルタイムに位置情報を提供するが、正確な位置まで第３者に提供することは、プライバシー保護の観点で好ましくない。
【０００３】
例えば、特許文献１に記載の技術には、ユーザの現在地を公開する場合に、地域や公開先、時間帯等の条件を元に、位置精度を変化させ、必要以上に機微な情報を公開させないようにする位置情報提供サービスが提案されている。
【０００４】
また、特許文献２に記載の技術には、取得した正確な位置情報をサーバに一時的に蓄積し、ユーザ自身が設定した条件により位置精度を変化させて提供する位置情報提供サービスが提案されている。
【０００５】
一方で、投稿時には正確な位置や時間を公開したくはないが、その場から離れた後は正確な位置がＳＮＳ上に表示されても良いというユーザもいる。
【先行技術文献】
【特許文献】
【０００６】
【特許文献１】ＷＯ２００６−０７０８７７号公報
【特許文献２】特開２００９−２９６４５２号公報
【発明の概要】
【発明が解決しようとする課題】
【０００７】
しかしながら、上述の特許文献１及び特許文献２では、ユーザがその場から離れた場合でも、第３者に提示される位置精度は固定されている。
【０００８】
本発明は、前述した問題点に鑑みてなされたものであり、その目的とすることは、ユーザがＳＮＳなどに投稿する時に、（ショッピングモール、映画館などの商業施設、自治体が主催するイベント等で、）投稿した時点では位置情報をあいまいにして表示し、投稿した時点から時間が経過するにつれて、又は、距離が離れるにつれて、位置情報が正確に表示される位置情報配信サーバ、位置情報配信システム、位置情報配信方法、プログラムなどを提供することである。
【課題を解決するための手段】
【０００９】
前述した課題を解決するために第１の発明は、ネットワークを介して携帯端末と通信接続され、複数の前記携帯端末に前記携帯端末の匿名化位置情報を含むソーシャルネットワーキングサービスに係る情報を提供する位置情報配信サーバであって、前記携帯端末にユーザＩＤを与えるユーザＩＤ付与手段と、前記携帯端末の前記ユーザＩＤと、位置情報と、記事情報とを含むユーザ投稿情報を前記携帯端末から受信するユーザ投稿情報取得手段と、前記ユーザ投稿情報と、受信日時とを関連付けて記憶するユーザ投稿情報記憶手段と、前記ユーザ投稿情報記憶手段にて記憶された情報に基づいて、匿名化パラメータを算出する匿名化パラメータ算出手段と、前記匿名化パラメータと前記位置情報とに基づいて、当該位置情報の精度が低下した前記匿名化位置情報を生成する匿名化情報生成手段と、前記ユーザ投稿情報取得手段にて受信した前記記事情報と、前記受信日時と、前記匿名化位置情報と、を前記携帯端末に提示するユーザ投稿情報提示手段と、を備え、前記匿名化パラメータは、前記受信日時からの経過時間、前記携帯端末の前記位置情報からの移動距離、ユーザ情報、人口密度、又は、イベント開催日に基づく値であることを特徴とする位置情報配信サーバである。
第１の発明の位置情報配信サーバによれば、携帯端末のユーザがＳＮＳにコメントや写真を投稿すると、投稿直後には、第３者の携帯端末に投稿者の位置情報をあいまいにして提示し、投稿した時点から一定時間経過後、又は投稿者が一定距離離れるにつれて、第３者の携帯端末に位置情報を次第に正確に提示することができる。これにより、投稿者によって投稿された情報を投稿直後には匿名化することが可能となり、その投稿内容や位置情報を見た周囲の人によって投稿者が特定されることを抑制しながら、投稿者による位置情報を含む情報提供を促進することができる。
【００１０】
また、前記匿名化情報生成手段は、前記匿名化パラメータと前記受信日時とに基づいて、前記受信日時の精度が低下した前記匿名化受信日時を生成し、前記ユーザ投稿情報提示手段は、前記受信日時を前記匿名化受信日時とすることが望ましい。
これによれば、携帯端末のユーザがＳＮＳにコメントや写真を投稿すると、投稿直後には、第３者の携帯端末に投稿者の投稿時間を示す時間情報をあいまいにして提示し、投稿した時点から一定時間経過後、又は投稿者が一定距離離れるにつれて、第３者の携帯端末に時間情報を次第に正確に提示することができる。
【００１１】
また、前記匿名化情報生成手段は、経過時間毎に前記携帯端末の前記位置情報を取得することが望ましい。
これにより、経過時間毎に、投稿したユーザの携帯端末の位置情報を取得し、投稿した時点から投稿者の距離が離れるにつれて、第３者の携帯端末により正確に位置情報や時間情報を提示することができる。
【００１２】
また、前記位置情報配信サーバは、更に、前記携帯端末から特定ユーザの登録を受付ける特定ユーザ登録手段を備え、ユーザ投稿情報提示手段は、前記ユーザ投稿情報取得手段にて受信した前記ユーザＩＤの当該特定ユーザＩＤが与えられた前記携帯端末には、前記記事情報と、前記受信日時と、前記位置情報と、を提示することが望ましい。
これにより、投稿者が事前にフレンド登録しているユーザに対しては、投稿直後から正確な位置情報や時間情報を提示することができる。
【００１３】
また、位置情報配信サーバは、更に、イベントの位置情報と、イベントの開催時間とを含むイベント情報を予め記憶するイベント情報記憶手段を備え、前記匿名化情報生成手段は、前記イベントの位置情報と、前記イベントの開催時間とに基づいて、前記位置情報の精度の向上率を変更することが望ましい。
これにより、イベントが開催される、場所や時間帯、季節などによって、第３者に提示される位置情報の精度の向上率を変化させることができる。
【００１４】
また、位置情報配信サーバは、更に、イベントの位置情報と、イベントの開催時間とを含むイベント情報を予め記憶するイベント情報記憶手段を備え、前記匿名化情報生成手段は、前記イベントの位置情報における人口密度に応じて、前記位置情報の精度の向上率を変更することが望ましい。
これにより、イベントが開催される場所の人口密度によって、第３者に提示される位置情報の精度の向上率を変化させることができる。
【００１５】
また、前記ユーザ投稿情報記憶手段は、前記受信日時と前記位置情報とを、前記イベント情報と照合して、前記携帯端末のユーザが、当該イベントに参加したか否かを判断することが望ましい。
これにより、イベントに参加しているユーザのみからコメントや画像などの投稿を受付けることができる。
【００１６】
第２の発明は、携帯端末と位置情報配信サーバとがネットワークを介して通信接続され、複数の前記携帯端末と前記位置情報配信サーバとの間で、ソーシャルネットワーキングサービスに係る情報を共有する位置情報配信システムであって、前記位置情報配信サーバは、前記携帯端末にユーザＩＤを与えるユーザＩＤ付与手段と、前記携帯端末の前記ユーザＩＤと、位置情報と、記事情報とを含むユーザ投稿情報を前記携帯端末から受信するユーザ投稿情報取得手段と、前記ユーザ投稿情報と、受信日時とを関連付けて記憶するユーザ投稿情報記憶手段と、前記ユーザ投稿情報記憶手段にて記憶された情報に基づいて、匿名化パラメータを算出する匿名化パラメータ算出手段と、前記匿名化パラメータと前記位置情報とに基づいて、当該位置情報の精度が低下した前記匿名化位置情報を生成する匿名化情報生成手段と、前記ユーザ投稿情報取得手段にて受信した前記記事情報と、前記受信日時と、前記匿名化位置情報と、を前記携帯端末に提示するユーザ投稿情報提示手段と、を備え、前記匿名化パラメータは、前記受信日時からの経過時間、前記携帯端末の前記位置情報からの移動距離、ユーザ情報、人口密度、又は、イベント開催日に基づく値であることを特徴とする位置情報配信システムである。
第２の発明の位置情報配信システムによれば、携帯端末のユーザがＳＮＳにコメントや写真を投稿すると、投稿直後には、第３者の携帯端末に投稿者の位置情報をあいまいにして提示し、投稿した時点から一定時間経過後、又は投稿者が一定距離離れるにつれて、第３者の携帯端末に位置情報を次第に正確に提示することができる。これにより、投稿者によって投稿された情報を投稿直後には匿名化することが可能となり、その投稿内容や位置情報を見た周囲の人によって投稿者が特定されることを抑制しながら、投稿者による位置情報を含む情報提供を促進することができる。
【００１７】
第３の発明は、ネットワークを介して通信接続された複数の前記携帯端末に、前記携帯端末の匿名化位置情報を含むソーシャルネットワーキングサービスに係る情報を配信する位置情報配信方法であって、前記携帯端末にユーザＩＤを与えるユーザＩＤ付与ステップと、前記携帯端末の前記ユーザＩＤと、位置情報と、記事情報とを含むユーザ投稿情報を前記携帯端末から受信するユーザ投稿情報取得ステップと、前記ユーザ投稿情報と、受信日時とを関連付けて記憶するユーザ投稿情報記憶ステップと、前記ユーザ投稿情報記憶ステップにて記憶された情報に基づいて、匿名化パラメータを算出する匿名化パラメータ算出ステップと、前記匿名化パラメータと前記位置情報とに基づいて、当該位置情報の精度が低下した前記匿名化位置情報を生成する匿名化情報生成ステップと、前記ユーザ投稿情報取得ステップにて受信した前記記事情報と、前記受信日時と、前記匿名化位置情報と、を前記携帯端末に提示するユーザ投稿情報提示ステップと、を含み、前記匿名化パラメータは、前記受信日時からの経過時間、前記携帯端末の前記位置情報からの移動距離、ユーザ情報、人口密度、又は、イベント開催日に基づく値であることを特徴とする位置情報配信方法である。
第３の発明の位置情報配方法によれば、携帯端末のユーザがＳＮＳにコメントや写真を投稿すると、投稿直後には、第３者の携帯端末に投稿者の位置情報をあいまいにして提示し、投稿した時点から一定時間経過後、又は投稿者が一定距離離れるにつれて、第３者の携帯端末に位置情報を次第に正確に提示することができる。これにより、投稿者によって投稿された情報を投稿直後には匿名化することが可能となり、その投稿内容や位置情報を見た周囲の人によって投稿者が特定されることを抑制しながら、投稿者による位置情報を含む情報提供を促進することができる。
【００１８】
第４の発明は、コンピュータを、ネットワークを介して通信接続された複数の前記携帯端末に、前記携帯端末の匿名化位置情報を含むソーシャルネットワーキングサービスに係る情報を配信する位置情報配信サーバとして機能させるためのプログラムであって、コンピュータを、前記携帯端末にユーザＩＤを与えるユーザＩＤ付与手段、前記携帯端末の前記ユーザＩＤと、位置情報と、記事情報とを含むユーザ投稿情報を前記携帯端末から受信するユーザ投稿情報取得手段、前記ユーザ投稿情報と、受信日時とを関連付けて記憶するユーザ投稿情報記憶手段、前記ユーザ投稿情報記憶手段にて記憶された情報に基づいて、匿名化パラメータを算出する匿名化パラメータ算出手段、前記匿名化パラメータと前記位置情報とに基づいて、当該位置情報の精度が低下した前記匿名化位置情報を生成する匿名化情報生成手段、前記ユーザ投稿情報取得手段にて受信した前記記事情報と、前記受信日時と、前記匿名化位置情報と、を前記携帯端末に提示するユーザ投稿情報提示手段、として機能させ、前記匿名化パラメータは、前記受信日時からの経過時間、前記携帯端末の前記位置情報からの移動距離、ユーザ情報、人口密度、又は、イベント開催日に基づく値であることを特徴とするプログラムである。
第４の発明のプログラムによれば、携帯端末のユーザがＳＮＳにコメントや写真を投稿すると、投稿直後には、第３者の携帯端末に投稿者の位置情報をあいまいにして提示し、投稿した時点から一定時間経過後、又は投稿者が一定距離離れるにつれて、第３者の携帯端末に位置情報を次第に正確に提示することができる。これにより、投稿者によって投稿された情報を投稿直後には匿名化することが可能となり、その投稿内容や位置情報を見た周囲の人によって投稿者が特定されることを抑制しながら、投稿者による位置情報を含む情報提供を促進することができる。
【発明の効果】
【００１９】
本発明によれば、ユーザがＳＮＳなどに投稿する時に、投稿した時点では位置情報をあいまいにして表示し、投稿した時点から時間が経過するにつれて、又は、距離が離れるにつれて、位置情報が正確に表示される位置情報配信サーバ、位置情報配信システム、位置情報配信方法、プログラムなどを提供することができる。
【図面の簡単な説明】
【００２０】
【図１】本発明に係る位置情報配信システムの全体構成図
【図２】位置情報配信サーバ１のハードウエアの構成例を示すブロック図
【図３】携帯端末２のハードウエアの構成例を示すブロック図
【図４】第１の実施形態に係る位置情報配信サーバ１が記憶するデータ構成の一例を示す図
【図５】第１の実施形態に係る携帯端末２にＳＮＳアプリケーションをインストールする処理の詳細を示すフローチャート
【図６】第１の実施形態に係るイベント掲示板表示処理の詳細を示すフローチャート
【図７】第１の実施形態に係るイベント掲示板更新処理の詳細を示すフローチャート
【図８】第１の実施形態に係るイベント掲示板画面４１を説明する図
【図９】第１の実施形態に係るイベント掲示板投稿受付処理の詳細を示すフローチャート
【図１０】第２の実施形態に係るイベント掲示板更新処理の詳細を示すフローチャート
【図１１】第３の実施形態に係るユーザ管理テーブル３１の一例を示す図
【図１２】第３の実施形態に係るイベント掲示板提示処理の詳細を示すフローチャート
【図１３】第４の実施形態に係るイベント掲示板更新処理の詳細を示すフローチャート
【図１４】第５の実施形態に係るイベント掲示板提示処理の詳細を示すフローチャート
【発明を実施するための形態】
【００２１】
以下、図面に基づいて、本発明の実施形態を詳細に説明する。
【００２２】
図１は、本発明に係る位置情報配信システムの全体構成図である。図１に示すように、位置情報配信システムは、ＳＮＳアプリケーションを提供する位置情報配信サーバ１と、ユーザが利用する複数の携帯端末２ａ、２ｂと、これらが接続されたネットワーク７で構成されている。本実施形態では、複数ユーザ間でネットワーク７を介して互いにイベントに関する情報を共有するＳＮＳにて本発明に係る位置情報配信システムを利用する例を示す。
【００２３】
位置情報配信サーバ１は、ユーザ管理テーブル３１（図４参照）を蓄積して記憶するユーザ情報データベース３と、イベント管理テーブル３２（図４参照）を予め記憶するイベント情報データベース４と、投稿情報管理テーブル３３（図４参照）を蓄積して記憶する投稿情報データベース５と、匿名化情報管理テーブル３４（図４参照）を予め記憶する匿名化情報データベース６と、ＳＮＳアプリケーションを携帯端末２にインストールするのに必要となるＳＮＳアプリケーション用データベース（図示せず）とを有する。詳細は後述する。
【００２４】
ＳＮＳアプリケーションとは、ネットワーク７を介して、各携帯端末２から投稿されたイベントに関する情報を、複数のユーザ間で共用するためのイベント掲示板を提供するアプリケーションである。
なお、本発明において、イベントとは、展示会場等で開催される催し物、競技場等で開催されるスポーツの試合、コンサート会場等で開催されるライブ、各地の商店街が主催する行事等、一定の広がりを持った場所で行われる人が集まる催し物のことである。
【００２５】
携帯端末２は、ＳＮＳアプリケーションの会員ユーザが使用するものであり、ＰＤＡ（Personal Digital Assistant）、スマートフォン、携帯ゲーム端末等がある。携帯端末２は、位置情報配信サーバ１から送信されるイベント掲示板画面４１（図８参照）や投稿内容登録画面（図示せず）を表示する。携帯端末２は、イベント掲示板画面４１や投稿内容登録画面を利用して、位置情報配信サーバ１との間で、イベントに関する情報登録及び表示に関する種々の処理を実行する。
【００２６】
図２は、位置情報配信サーバ１のハードウエア構成例を示すブロック図である。位置情報配信サーバ１のコンピュータは、図２に示すように、例えば、制御部１１、記憶部１２、メディア入出力部１３、通信制御部１４、入力部１５、表示部１６、周辺機器Ｉ／Ｆ部１７等が、バス１８を介して接続されて構成される。
【００２７】
制御部１１は、ＣＰＵ（Central
Processing Unit）、ＲＯＭ（Read Only Memory）、ＲＡＭ（Random Access Memory）等により構成される。
ＣＰＵは、記憶部１２、ＲＯＭ、記憶媒体等に格納されるプログラムをＲＡＭ上のワークメモリ領域に呼び出して実行し、バス１８を介して接続された各装置を駆動制御し、位置情報配信サーバ１が行う後述する処理を実現する。ＲＯＭは、不揮発性メモリであり、コンピュータのブートプログラムやＢＩＯＳ等のプログラム、データ等を恒久的に保持する。ＲＡＭは、揮発性メモリであり、ロードしたプログラムや、データ等を一時的に保持すると共に、制御部１１が各処理を行うために使用するワークエリアを備える。
【００２８】
記憶部１２は、ＨＤＤ（Hard
Disk Drive）等であり、制御部１１が実行するプログラムや、プログラム実行に必要なデータ、ＯＳ（Operating
System）、図４に示すデータ等が格納されている。これらのプログラムコードは、制御部１１により必要に応じて読み出されてＲＡＭに移され、ＣＰＵに読み出されて実行される。
【００２９】
メディア入出力部１３は、例えば、ＣＤドライブ、ＤＶＤドライブ、ＭＯドライブ、フロッピー（登録商標）ディスクドライブ、等のメディア入出力装置であり、データの入出力を行う。
通信制御部１４は、通信制御装置、通信ポート等を有し、位置情報配信サーバ１とネットワーク７間の通信を媒介する通信インターフェースであり、ネットワーク７を介して、他の装置間との通信制御を行う。
【００３０】
入力部１５は、データ入力を行い、例えば、キーボード、マウスなどのポインティングデバイス、テンキーなどの入力装置を有する。入力されたデータを制御部１１へ出力する。
表示部１６は、例えば、ＣＲＴモニタ、液晶パネル等のディスプレイ装置と、ディスプレイ装置と連携して表示処理を実行するための論理回路（ビデオアダプタ等）で構成され、制御部１１の制御により入力された表示情報をディスプレイ装置上に表示させる。
【００３１】
周辺機器Ｉ／Ｆ（インターフェース）１７部は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は、有線、無線を問わない。
バス１８は、各装置間の制御信号、データ信号等の授受を媒介する経路である。
【００３２】
図３は、携帯端末２のハードウエアの構成例を示すブロック図である。
【００３３】
制御部２１は、プログラムの実行を行うＣＰＵ（Central Processing Unit）、プログラム命令やデータ等を格納するＲＯＭ（Read Only Memory）、一時的な作業用のデータ等を格納するＲＡＭ（Random
Access Memory）等により構成される。
制御部２１の処理により、携帯端末２は通話機能のほかブラウザ機能、メール機能などを発揮する。
【００３４】
記憶部２２は、制御部２１が処理する情報のほか、携帯端末２にインストールされているアプリケーションプログラムや、電話番号及びメールアドレス等のアドレス帳データ等を記憶する。
通信制御部２３は、制御部２１の制御により、外部の通信機器と音声通信や情報通信を行うもので、通信基地局（図示せず）に接続して、携帯端末２とネットワーク７上の位置情報配信サーバ１との通信を仲介する。
【００３５】
入力部２４は、ボタンやタッチパネルなどであり、ユーザによって操作されて、データ入力が行われる。また、マイクなどの音声入力手段（図示せず）で、音声による入力を行ってもよい。入力されたデータを制御部２１へ出力する。
表示部２５は、有機ＥＬパネル、液晶パネル等であり、制御部２１から送られた表示情報を表示する。なお、入力部２４と表示部２５とを一体化させて、例えば、タッチパネル式の入出力装置を採用してもよい。
バス２６は、各装置間の制御信号、データ信号等の授受を媒介する経路である。
【００３６】
＜第１の実施形態＞
図４〜図９を参照して、第１の実施形態について説明する。
第１の実施形態に係る位置情報配信サーバ１及び携帯端末２は、以下の（ａ）〜（ｃ）に係る処理を実行する。
【００３７】
（ａ）携帯端末２にＳＮＳアプリケーションをインストールする。
（ｂ）携帯端末２は、ＳＮＳアプリケーションを起動して位置情報配信サーバ１にアクセスし、位置情報配信サーバ１は、投稿情報における位置情報及び投稿日時を匿名化し、携帯端末２にイベント掲示板画面４１（図８参照）を送信する。
（ｃ）位置情報配信サーバ１は、携帯端末２からイベントに関する投稿情報を受信すると、携帯端末２のユーザが、実際にイベントに参加しているか否かを判断し、参加している場合には、受信した投稿情報を記憶する。
【００３８】
図４を参照して、第１の実施形態に係るユーザ情報データベース３と、イベント情報データベース４と、投稿情報データベース５と、匿名化情報データベース６と、が記憶するデータ構成について説明する。ユーザ情報データベース３と、イベント情報データベース４と、投稿情報データベース５と、匿名化情報データベース６と、ＳＮＳアプリケーション用データベース（図示せず）は、位置情報配信サーバ１の記憶部１２に記憶される。各データベースが管理するユーザ管理テーブル３１、イベント管理テーブル３２、投稿情報管理テーブル３３、匿名化情報管理テーブル３４について説明する。
【００３９】
図４の（ａ）に示すユーザ管理テーブル３１のユーザ情報は、携帯端末２がＳＮＳアプリケーションを初めて起動する際に作成される。ユーザ管理テーブル３１には、「ユーザＩＤ」、「ユーザ名」、１または複数の「ユーザ属性」が格納される。また、「ユーザ属性」は無くても良い。ユーザＩＤとは、携帯端末２の個体を識別する識別子、または、ＳＮＳアプリケーションを識別する識別子であり、個体を識別する識別子とは、例えば、ＵＤＩＤ（Unique Device Identifier）、端末シリアル番号などであり、アプリケーションを識別する識別子とは、例えば、ＵＵＩＤ（Universally Unique Identifier）などである。
【００４０】
図４の（ｂ）に示すイベント管理テーブル３２には、アプリケーションによって表示されるイベントのＩＤである「イベントＩＤ」、「イベント名」、イベントの範囲を示す「場所」、イベントの開催期間を示す「期間」、イベント掲示板のＵＲＬである「表示情報」、イベントの紹介などの情報を含む「イベント属性」が予め関連付けて登録されている。
【００４１】
図４の（ｃ）に示す投稿情報管理テーブル３３は、位置情報配信サーバ１が携帯端末２から投稿情報を受付けるごとに作成される。投稿情報管理テーブル３３には、「投稿情報ＩＤ」、「ユーザＩＤ」、「イベントＩＤ」、ユーザがコメントした文字列を示す「記事情報」、ユーザの投稿を受信した日時を示す「投稿日時」、投稿時の携帯端末２の所在地である「投稿時位置情報」、携帯端末２の位置情報を検索した日時を示す「検索日時」、検索時の携帯端末２の所在地である「検索時位置情報」、後述する「匿名化度合」が格納される。
【００４２】
「検索日時」、「検索時位置情報」、「匿名化度合」は、位置情報配信サーバ１が携帯端末２の位置情報を検索するごとに更新される。第１の実施形態及び後述する第２〜第４の実施形態においては、投稿情報管理テーブル３３に「検索日時」、「検索時位置情報」、「匿名化度合」を記憶せず、位置情報配信サーバ１の制御部１１のＲＡＭに記憶させるのみでも良い。
なお、携帯端末２の位置情報とは、携帯端末２のＧＰＳユニット（図示せず）にて受信された位置情報である。
【００４３】
図４の（ｄ）に示す匿名化情報管理テーブル３４は、「匿名化パラメータ」と「匿名化度合（表示範囲）」と「匿名化度合（表示時間）」とが予め関連付けて記憶される。
第１の実施形態おいて「匿名化パラメータ」とは、携帯端末２のユーザが投稿時からどれだけ移動したのかを表す移動距離を示す値であり、閾値Ａ１〜閾値Ａ４は、例えば「閾値Ａ１＝０メートル」、「閾値Ａ２＝５００メートル」、「閾値Ａ３＝１キロメートル」、「閾値Ａ４＝１０キロメートル」の様に、閾値Ａ１から閾値Ａ４に従って増加する。
【００４４】
「匿名化度合」とは、ユーザの携帯端末２の投稿情報に紐付られた投稿時位置情報や投稿日時を匿名化する度合を示す値である。「匿名化度合（表示範囲）」は、表示する「投稿時位置情報」の精度を示す。また、「匿名化度合（表示時間）」は、表示する「投稿日時」の精度を示す。
【００４５】
位置情報を匿名化する度合には、例えば、「閾値Ａ１」に対応する「匿名化度合（表示範囲）」は「半径１キロメートル」、「閾値Ａ２」に対応する「匿名化度合（表示範囲）」は「半径１００メートル」、「閾値Ａ３」に対応する「匿名化度合（表示範囲）」は「半径１０メートル」である。図４（ｄ）に示す例では、「閾値Ａ４」に対応する匿名化度合は指定されない。
【００４６】
日時を匿名化する度合は、例えば、「閾値Ａ１」に対応する「匿名化度合（表示時間）」は「日付のみ」、「閾値Ａ２」に対応する「匿名化度合（表示時間）」は「日付及び時間（時間単位）」、「閾値Ａ３」に対応する「匿名化度合（表示時間）」は「日付及び時間（１０分単位）」である。図４（ｄ）に示す例では、「閾値Ａ４」に対応する匿名化度合は指定されない。
【００４７】
即ち、携帯端末２のユーザが投稿時から移動するにつれて、閾値Ａ１→閾値Ａ２→閾値Ａ３→閾値Ａ４と変化し、それに伴って匿名化度合は、あいまいな位置及び時間情報から正確な位置及び時間情報に変化する。携帯端末２の移動距離は、投稿情報管理テーブル３３の「投稿時位置情報」と「検索時位置情報」から算出される。
【００４８】
続いて、携帯端末２にＳＮＳアプリケーションをインストールする処理について図５を参照して説明する。
【００４９】
図５に示すように、携帯端末２の制御部２１は、ネットワーク７を介して位置情報配信サーバ１のサイトにアクセスし、位置情報配信サーバ１にＳＮＳアプリケーションのダウンロードを要求する（ステップＳ１０１）。携帯端末２の制御部２１は、メールや２次元バーコード等により、ＳＮＳアプリケーションをダウンロードするための初期ＵＲＬを取得して、位置情報配信サーバ１にアクセスしても良い。
【００５０】
位置情報配信サーバ１の制御部１１は、携帯端末２から送信されるパラメータから不正等が行われていないかどうか判断し、携帯端末２にＳＮＳアプリケーションのダウンロードを許可する（ステップＳ１０２）
【００５１】
位置情報配信サーバ１の制御部１１は、アプリケーションごとに割り振られるユーザＩＤ（識別子）を作成して、ユーザ管理テーブル３１にユーザ情報として、作成したユーザＩＤを格納し、記憶部１２に記憶させる（ステップ１０３）。
【００５２】
位置情報配信サーバ１の制御部１１は、記憶部１２に記憶されるＳＮＳアプリケーション用データベースからＳＮＳアプリケーションを取得して、ＳＮＳアプリケーション及び作成したユーザＩＤを携帯端末２へ送信する（ステップＳ１０４）。
【００５３】
携帯端末２の制御部２１は、ＳＮＳアプリケーションをダウンロードして、携帯端末２の記憶部２２にインストールする。また、携帯端末２の制御部２１は、位置情報配信サーバ１のユーザ管理テーブル３１に格納されるユーザＩＤを、携帯端末２の記憶部２２に記憶させる（ステップ１０５）。
【００５４】
携帯端末２の制御部２１は、位置情報配信サーバ１にダウンロード完了を通知する（ステップＳ１０６）。
【００５５】
位置情報配信サーバ１の制御部１１は、ＳＮＳアプリケーションのユーザ登録画面（図示せず）を携帯端末２に送信し、携帯端末２の表示部２５に表示させる(ステップＳ１０７)。
【００５６】
携帯端末２の制御部２１は、表示されたユーザ登録画面において入力部２４からユーザ名、性別、年齢等のユーザ情報の入力を受付け（ステップＳ１０８）、位置情報配信サーバ１にユーザ情報をユーザＩＤとともに送信する（ステップＳ１０９）。
【００５７】
位置情報配信サーバ１の制御部１１は、受信したユーザ情報を、記憶部１２に記憶される、該当する携帯端末２のユーザ管理テーブル３１に格納する（ステップＳ１１０）。
【００５８】
以上の様にして、携帯端末２には、位置情報配信サーバ１からＳＮＳアプリケーションがダウンロードされて、実行可能な状態にインストールされる。位置情報配信サーバ１には、ＳＮＳアプリケーションがダウンロードされたユーザのユーザ管理テーブル３１が記憶される。
なお、ユーザＩＤはユーザが登録を行った例に限らず、携帯端末の固有ＩＤ等を利用して、ユーザあるいは携帯端末に一意に割振られているものであればよい。
【００５９】
続いて図６を参照して、位置情報配信サーバ１が携帯端末２にイベント掲示板を提示するイベント掲示板表示処理について説明する。イベント掲示板表示処理は、位置情報配信サーバ１が携帯端末２からイベント掲示板の表示要求を受信した際に、位置情報配信サーバ１の制御部１１と携帯端末２の制御部２１とが実行する処理である。
【００６０】
携帯端末２の記憶部２２には、図５に示す処理によって予めＳＮＳアプリケーションがインストールされているものとする。また、位置情報配信サーバ１の記憶部１２には、予め、ユーザ管理テーブル３１と、イベント管理テーブル３２と、投稿情報管理テーブル３３と、匿名化情報管理テーブル３４とが記憶されているものとする。
【００６１】
図６は、イベント掲示板表示処理の詳細を示すフローチャートである。
携帯端末２の制御部２１は、携帯端末２の所定の操作をユーザになされることにより、予めインストールされているＳＮＳアプリケーションを起動する（ステップＳ１１）。
【００６２】
携帯端末２の制御部２１は、所望のイベントのイベント掲示板の表示要求を位置情報配信サーバ１に送信する（ステップＳ１２）。
【００６３】
位置情報配信サーバ１の制御部１１は、イベント掲示板の表示要求を携帯端末２から受信すると（ステップＳ１３）、イベント情報データベース４から該当するイベント管理テーブル３２を検索してそのイベントＩＤを取得し、取得したイベントＩＤを有する投稿情報を投稿情報管理テーブル３３（投稿情報データベース５）から取得して、後述する投稿情報更新処理（図７参照）を実行する（ステップＳ１４）。
【００６４】
位置情報配信サーバ１の制御部１１は、イベントの掲示板に表示する匿名化情報を、投稿情報管理テーブル３３の匿名化度合と投稿時位置情報及び投稿日時とに基づいて生成する（ステップＳ１５）。すなわち、位置情報配信サーバ１の制御部１１は、匿名化度合（表示範囲）で示された度合に応じて、投稿時位置情報をあいまいにして匿名化位置情報とし、匿名化度合（表示時間）で示された度合に応じて、投稿日時をあいまいにして匿名化時間情報とする。
【００６５】
例えば、投稿情報管理テーブル３３の匿名化度合（表示範囲）が「半径１キロメートル」であれば、イベント掲示板に表示される匿名化位置情報は、「投稿時位置情報から半径１キロメートルの範囲」である。
また、例えば、投稿情報管理テーブル３３の匿名化度合（表示時間）が「日付及び時間（時間単位）」であって、投稿情報管理テーブル３３の投稿日時が「１月２３日１１時１２分」である場合は、イベント掲示板に表示される匿名化時間情報は、「１月２３日１１時頃」である。
【００６６】
また、投稿情報管理テーブル３３の匿名化度合が指定されていない場合には、匿名化情報は生成されない。即ち、イベント掲示板に表示する位置情報は「投稿時位置情報」となり、イベント掲示板に表示する時間情報は「投稿日時」となる。
【００６７】
位置情報配信サーバ１の制御部１１は、ステップＳ１４にて抽出された投稿情報管理テーブル３３のユーザＩＤに基づいて、ユーザ管理テーブル３１からユーザ名等を取得し、匿名化情報、又は正確な位置情報及び時間情報と、投稿情報管理テーブル３３の記事情報及びステップＳ１４にて検索したイベント管理テーブル３２のイベント名、イベント属性と合わせてイベント掲示板の表示情報を生成し、イベント掲示板のＵＲＬと、ステップＳ１４にて検索したイベント管理テーブル３２のイベントＩＤとを該当する携帯端末２に送信する（ステップＳ１６）。
【００６８】
位置情報配信サーバ１は、記憶部１２に、地図情報データベース（図示せず）を記憶し、イベント会場等の地図において、生成された匿名化位置情報に対応する範囲を示して、イベント掲示板に表示しても良い。
【００６９】
また、位置情報配信サーバ１は、記憶部１２に、イベント会場等における範囲の名称を階層的に保持したデータベース（図示せず）を記憶し、位置情報配信サーバ１の制御部１１は、匿名化位置情報に対応するイベント会場等における範囲の名称（例えば、当該イベントにおいて、匿名化位置情報に含まれる最大範囲となる名称）を取得し、取得した名称をイベント掲示板に表示しても良い。
ここで、イベント会場等における階層的な範囲の名称とは、例えば、「〇〇展示会場内」、「〇〇展示会場内  １Ｆフロア」、「〇〇展示会場内  １Ｆフロア  エリアＡ」、「〇〇展示会場内  １Ｆフロア  エリアＡ  ブース２」のようなものである。
【００７０】
携帯端末２の制御部２１は、位置情報配信サーバ１からイベント掲示板のＵＲＬとイベントＩＤとを受信し、受信したＵＲＬにアクセスして、携帯端末２の表示部２５にイベント掲示板画面４１（図８参照）を表示して（ステップＳ１７）、処理を終了する。
【００７１】
次に、位置情報配信サーバ１が、図６のステップＳ１４にて実行する投稿情報更新処理の詳細について図７を参照して説明する。
【００７２】
位置情報配信サーバ１の制御部１１は、図６のステップＳ１４にて取得したイベントＩＤを有する投稿情報を、投稿情報管理テーブル３３（投稿情報データベース５）から取得し、取得された投稿情報のユーザＩＤに対応する携帯端末２の位置情報を取得する（ステップＳ１４１）。
【００７３】
具体的には、位置情報配信サーバ１の制御部１１は、該当するユーザＩＤの携帯端末２に位置情報取得指示を送信し、携帯端末２の制御部２１は、ＧＰＳユニット（図示せず）によって位置情報を受信し、受信した位置情報と携帯端末２の記憶部２２に記憶されるユーザＩＤと位置情報配信サーバ１に送信する。
【００７４】
位置情報配信サーバ１の制御部１１は、投稿情報管理テーブル３３において、該当する投稿情報ＩＤを有する投稿情報の検索時位置情報を、ステップＳ１４１にて受信した位置情報で更新する（ステップＳ１４２）。
【００７５】
続いて、位置情報配信サーバ１の制御部１１は、投稿時位置情報と更新した検索時位置情報との間の距離を算出する（ステップＳ１４３）。即ち、携帯端末２のユーザが投稿時から移動した距離を算出する。
【００７６】
位置情報配信サーバ１の制御部１１は、ステップＳ１４３にて算出した移動距離と、記憶部１２に記憶される匿名化情報管理テーブル３４の匿名化パラメータとを照合する（ステップＳ１４４）。位置情報配信サーバ１は、算出した移動距離を超えない最大の閾値を、匿名化情報管理テーブル３４の匿名化パラメータから選択し、対応する匿名化度合（表示範囲）及び匿名化度合（表示時間）を取得する。
【００７７】
位置情報配信サーバ１は、投稿情報管理テーブル３３において、該当する投稿情報ＩＤの匿名化度合（表示範囲）及び匿名化度合（表示時間）を、ステップＳ１４４にて取得された匿名化度合（表示範囲）及び匿名化度合（表示時間）で更新して（ステップＳ１４５）処理を終了する。
【００７８】
以上のように、位置情報配信サーバ１は、携帯端末２からイベント掲示板の表示要求を受信すると、該当するイベントに関する投稿情報を抽出して、投稿情報更新処理を実行して、投稿者の移動距離に応じて投稿日時及び投稿時位置情報をあいまいにし、携帯端末２に投稿情報が匿名化されたイベント掲示板を表示させることができる。
【００７９】
図８は、図６のステップＳ１７にて、携帯端末２に表示されるイベント掲示板画面４１を説明する図である。
【００８０】
図８の（ａ）は投稿直後にイベント掲示板を閲覧した場合のイベント掲示板画面４１ａの一例である。イベント掲示板画面４１ａには、イベント名４２ａと、イベント属性４３ａが配置され、その下にユーザの投稿情報が時系列順に配置される（なお、図８の例では、いずれもユーザの投稿情報は一例のみを示したが、図示しない切り替えボタンにより、切り替えることができる）。ユーザの投稿情報として、ユーザ名４４ａと、記事情報４５ａと、匿名化された投稿時位置情報に該当する名称４６ａと、匿名化された投稿日時４７ａと、匿名化領域４９ａが表示された投稿時位置情報の周辺地図４８ａと、が配置される。投稿画面移行ボタン５０ａは、イベントに関する情報を入力する場合に携帯端末２のユーザによって押下される。図８の（ａ）に示す例では、匿名化領域４９ａは投稿時位置情報の周辺から半径１キロメートルの範囲であり、匿名化された投稿日時４７ａは日付のみである。
【００８１】
図８の（ｂ）は投稿者が投稿時から移動した後にイベント掲示板を閲覧した場合のイベント掲示板画面４１ｂの一例である。イベント掲示板画面４１ｂには、イベント名４２ｂと、イベント属性４３ｂが配置され、その下にユーザの投稿情報が時系列順に配置される。ユーザの投稿情報として、ユーザ名４４ｂと、記事情報４５ｂと、匿名化された投稿時位置情報に該当する名称４６ｂと、匿名化された投稿日時４７ｂと、匿名化領域４９ｂが表示された投稿時位置情報の周辺地図４８ｂと、が配置される。投稿画面移行ボタン５０ｂは、イベントに関する情報を入力する場合に携帯端末２のユーザによって押下される。図８の（ｂ）に示す例では、匿名化領域４９ｂは投稿時位置情報の周辺から半径１００キロメートルの範囲であり、匿名化された投稿日時４７ｂは日付と時間(時間単位)である。
【００８２】
図８の（ｃ）は図８の（ｂ）の閲覧時から投稿者が更に移動した後にイベント掲示板を閲覧した場合のイベント掲示板画面４１ｃの一例である。イベント掲示板画面４１ｃには、イベント名４２ｃと、イベント属性４３ｃが配置され、その下にユーザの投稿情報が時系列順に配置される。ユーザの投稿情報として、ユーザ名４４ｃと、記事情報４５ｃと、匿名化された投稿時位置情報に該当する名称４６ｃと、匿名化された投稿日時４７ｂと、匿名化領域４９ｃが表示された投稿時位置情報の周辺地図４８ｃと、が配置される。投稿画面移行ボタン５０ｃは、イベントに関する情報を入力する場合に携帯端末２のユーザによって押下される。図８の（ｃ）に示す例では、匿名化領域４９ｃは投稿時位置情報の周辺から半径１０メートルの範囲であり、匿名化された投稿日時４７ｃは日付及び時間（１０分単位）である。
【００８３】
図８の（ｄ）は図８の（ｃ）の閲覧時から投稿者が更に移動した後にイベント掲示板を閲覧した場合のイベント掲示板画面４１ｄの一例である。イベント掲示板画面４１ｄには、イベント名４２ｄと、イベント属性４３ｄが配置され、その下にユーザの投稿情報が時系列順に配置される。ユーザの投稿情報として、ユーザ名４４ｄと、記事情報４５ｄと、投稿時位置情報に該当する名称４６ｄと、４７ｄと、投稿時位置情報４９ｄが表示された投稿時位置情報の周辺地図４８ｄと、が配置される。投稿画面移行ボタン５０ｄは、イベントに関する情報を入力する場合に携帯端末２のユーザによって押下される。図８の（ｄ）には、投稿者が移動したことによって正確な投稿時の位置情報と、投稿日時とが表示された例を示す。
【００８４】
続いて図９を参照して、位置情報配信サーバ１が携帯端末２からイベントに関する投稿情報を受信した場合に実行するイベント掲示板投稿受付処理について説明する。
【００８５】
本実施形態においては、投稿時点でイベント会場内にいるユーザのみがイベント掲示板に投稿できるＳＮＳの例を示す。イベント会場にいないユーザからは、イベント掲示板を閲覧することはできるが、イベント掲示板に投稿することはできない。
【００８６】
イベント掲示板投稿受付処理は、予め、図６の処理を実行して、携帯端末２にイベント掲示板画面４１が表示され、続いて、携帯端末２が位置情報配信サーバ１にイベント掲示板への投稿を指示した場合に実行される処理である。即ち、イベント掲示板は最新の状態に更新されているものとする。
【００８７】
携帯端末２の記憶部２２には、図５に示す処理によって予めＳＮＳアプリケーションがインストールされているものとする。また、位置情報配信サーバ１の記憶部１２には、予め、ユーザ管理テーブル３１と、イベント管理テーブル３２と、投稿情報管理テーブル３３と、匿名化情報管理テーブル３４とが記憶されているものとする。
【００８８】
位置情報配信サーバ１の制御部１１は、携帯端末２のイベント掲示板画面４１の投稿画面移行ボタン５０の押下されたことを受付けると、イベント掲示板画面投稿内容登録画面（図示せず）を送信し、携帯端末２の制御部２１は、表示部２５に投稿内容登録画面を表示して、投稿内容登録画面を介して記事情報の入力を受付ける（ステップＳ２１）。
【００８９】
携帯端末２の制御部２１は、携帯端末２の記憶部２２に記憶されるユーザＩＤと、ステップＳ２１にて受付けた記事情報と、携帯端末２のＧＰＳユニット（図示せず）にて受信した位置情報と、図６のステップＳ１７にて受信したイベントＩＤとを、位置情報配信サーバ１に送信する（ステップＳ２２）。
【００９０】
位置情報配信サーバ１の制御部１１は、携帯端末２からユーザＩＤと記事情報と位置情報とイベントＩＤとを受信する（ステップＳ２３）。
【００９１】
位置情報配信サーバ１の制御部１１は、イベント情報データベース４のイベント管理テーブル３２から、ステップＳ２３にて受信したイベントＩＤを有するイベントを検索し、ステップＳ２３の受信日時と、ステップＳ２３にて受信した位置情報を、抽出したイベント管理テーブル３２と照合する（ステップＳ２４）。
【００９２】
位置情報配信サーバ１の制御部１１は、受信日時がイベント管理テーブル３２の「期間」の範囲内であるか否か、及び位置情報がイベント管理テーブル３２の「場所」の範囲内であるか否かを判断する（ステップＳ２５）。
【００９３】
位置情報配信サーバ１の制御部１１は、受信日時及び位置情報がイベントの期間及び場所の範囲内である場合、携帯端末２のユーザがイベントに参加していると判断し（ステップＳ２５のＹＥＳ）、投稿情報管理テーブル３３に投稿情報を作成して、記憶部１２の投稿情報データベース５に記憶する（ステップＳ２６）。
【００９４】
投稿情報管理テーブル３３の投稿情報の「投稿情報ＩＤ」には、当該投稿情報の識別子が割り振れらて格納され、「ユーザＩＤ」、「イベントＩＤ」、「記事情報」には、ステップＳ２３にて受信した情報が格納される。「投稿日時」には、ステップＳ２３の受信日時が格納される。「匿名化度合」には、匿名化情報管理テーブル３４の匿名化パラメータの中で最も小さい閾値に対応する匿名化度合が選択されて格納される。
【００９５】
位置情報配信サーバ１の制御部１１は、受信日時及び位置情報がイベントの期間及び場所の範囲内にない場合、携帯端末２のユーザがイベントに参加していないと判断し（ステップＳ２５のＮＯ）、処理を終了する。
【００９６】
続いて、位置情報配信サーバ１の制御部１１は、ステップＳ２３にて受信したイベントＩＤの投稿情報を投稿情報管理テーブル３３から抽出して、イベントの掲示板に表示する匿名化情報を、抽出された投稿情報管理テーブル３３の匿名化度合と投稿時位置情報及び投稿日時とに基づいて生成する（ステップＳ２７）。
【００９７】
位置情報配信サーバ１の制御部１１は、ステップＳ２７にて抽出された投稿情報のユーザＩＤに基づいて、ユーザ管理テーブル３１からユーザ名等を取得し、ステップＳ２７にて生成した匿名化情報と合わせてイベント掲示板の表示情報を生成し、イベント掲示板のＵＲＬを該当する携帯端末２に送信する（ステップＳ２８）。
【００９８】
携帯端末２の制御部２１は、位置情報配信サーバ１からイベント掲示板のＵＲＬを受信し、受信したＵＲＬにアクセスして、携帯端末２の表示部２５にイベント掲示板画面４１（図８参照）を表示して（ステップＳ２９）、処理を終了する。
【００９９】
以上の様に、位置情報配信サーバ１は、イベントに関する投稿情報をユーザの携帯端末２から受信した場合に、携帯端末２の投稿情報を受信した日時と携帯端末２の位置とを、位置情報配信サーバ１に予め記憶されるイベント管理テーブル３２のイベント開催期間と開催場所と照合し、携帯端末２のユーザがイベントに参加していると判断する場合のみ、投稿情報管理テーブル３３に投稿情報を作成して記憶する。続いて、位置情報配信サーバ１は、該当するイベントに関する投稿情報を抽出して、投稿日時及び投稿時位置情報をあいまいにして、携帯端末２に投稿情報が匿名化されたイベント掲示板を表示させることができる。
【０１００】
＜第２の実施形態＞
続いて、図１０を参照して、第２の実施形態について説明する。
第２の実施形態では、匿名化パラメータとして、携帯端末２から投稿を受信した日時からの経過時間を用いる点で、第１の実施形態と異なる。即ち、図４の（ａ）〜（ｃ）に示す位置情報配信サーバ１が記憶するデータ構成例は、第２の実施形態においても同様に用いられる。また、図５に示す処理によって、携帯端末２にＳＮＳアプリケーションがインストールされて、イベント掲示板表示処理（図６参照）と、イベント掲示板投稿受付処理（図９参照）は、第２の実施形態においても同様に実行される。
【０１０１】
第２の実施形態において、図４の（ｄ）に示す匿名化情報管理テーブル３４は、「匿名化パラメータ」と、「匿名化度合」とが予め関連付けて記憶される。
第２の実施形態おいて匿名化パラメータとは、携帯端末２のユーザの投稿を受信した時点からの経過時間を示す値であり、閾値Ａ１〜閾値Ａ４は、例えば「閾値Ａ１＝０分」、「閾値Ａ２＝４時間」、「閾値Ａ３＝７時間」、「閾値Ａ４＝１０時間」の様に、閾値Ａ１から閾値Ａ４に従って増加する。
【０１０２】
次に、位置情報配信サーバ１が、第２の実施形態において図６のステップＳ１４にて実行する投稿情報更新処理の詳細について図１０を参照して説明する。第２の実施形態では、図７に示す第１の実施形態に係るイベント掲示板更新処理に代えて、図１０に示すイベント掲示板更新処理を実行する。
【０１０３】
位置情報配信サーバ１の制御部１１は、図６のステップＳ１４にて投稿情報管理テーブル３３から取得したイベントＩＤの投稿情報の検索日時を、現在の日時で更新する（ステップＳ２４１）。
【０１０４】
続いて、位置情報配信サーバ１の制御部１１は、投稿日時と更新した検索日時との間の時間を算出する（ステップＳ２４２）。即ち、携帯端末２のユーザの投稿情報を位置情報配信サーバ１が受信してからの経過時間を算出する。
【０１０５】
位置情報配信サーバ１の制御部１１は、ステップＳ２４２にて算出した経過時間と、記憶部１２に記憶される匿名化情報管理テーブル３４の匿名化パラメータとを照合する（ステップＳ２４３）。位置情報配信サーバ１は、算出した経過時間を超えない最大の閾値を、匿名化情報管理テーブル３４の匿名化パラメータから選択し、対応する匿名化度合を取得する。
【０１０６】
位置情報配信サーバ１は、投稿情報の匿名化度合を、ステップＳ２４３にて取得された匿名化度合で更新して（ステップＳ２４４）処理を終了する。
【０１０７】
第２の実施形態において、図６のステップＳ１７にて、携帯端末２に表示されるイベント掲示板画面４１は、図８の（ａ）〜（ｄ）に示す例と同様であるが、図８の（ｂ）〜（ｄ）は投稿者が投稿してから一定の時間経過後にイベント掲示板を閲覧した場合に表示される画面となる。
【０１０８】
以上の様に、第２の実施形態において、位置情報配信サーバ１は、携帯端末２からイベント掲示板の表示要求を受信すると、該当するイベントに関する投稿情報を抽出して、図１０に示す投稿情報更新処理を実行して、投稿者が投稿してからの経過時間に応じて投稿日時及び投稿時位置情報をあいまいにし、携帯端末２に投稿情報が匿名化されたイベント掲示板を表示させることができる。
【０１０９】
＜第３の実施形態＞
続いて、図１１〜図１２を参照して、第３の実施形態について説明する。
第３の実施形態では、閲覧者がフレンド登録しているユーザからの投稿情報については、投稿直後から正確な位置情報及び時間情報が提示される点で、第１の実施形態とは異なる。図４の（ｂ）〜（ｄ）に示す位置情報配信サーバ１が記憶するデータ構成例は、第３の実施形態においても同様に用いられる。
【０１１０】
第３の実施形態においても第１の実施形態と同様にして、図５に示す処理によって、携帯端末２にＳＮＳアプリケーションがインストールされる。
【０１１１】
第３の実施形態において、位置情報配信サーバ１のユーザ情報データベース３には図１１に示すユーザ管理テーブル３１が格納される。
【０１１２】
図１１に示すユーザ管理テーブル３１のユーザ情報は、携帯端末２がＳＮＳアプリケーションを初めて起動する際に作成される。ユーザ管理テーブル３１には、「ユーザＩＤ」、「ユーザ名」、１または複数の「ユーザ属性」に加えて、「フレンドユーザＩＤ」が格納される。ユーザＩＤとは、携帯端末２の個体を識別する識別子、または、ＳＮＳアプリケーションを識別する識別子である。
【０１１３】
「フレンドユーザＩＤ」とは、ＳＮＳアプリケーション内で携帯端末２に表示されるユーザ投稿情報変更画面（図示せず）や、図５のインストール処理におけるユーザ登録画面（図示せず）を利用して、携帯端末２のユーザから登録を受付けたフレンドユーザのユーザＩＤである。
【０１１４】
続いて図１２を参照して、位置情報配信サーバ１が携帯端末２にイベント掲示板を提示する第３の実施形態に係るイベント掲示板表示処理について説明する。イベント掲示板表示処理は、位置情報配信サーバ１が携帯端末２からイベント掲示板の表示要求を受信した際に、位置情報配信サーバ１の制御部１１と携帯端末２の制御部２１とが実行する処理である。
【０１１５】
携帯端末２の記憶部２２には、図５に示す処理によって予めＳＮＳアプリケーションがインストールされているものとする。また、位置情報配信サーバ１の記憶部１２には、予め、図１１に示すユーザ管理テーブル３１と、図４の（ｂ）に示すイベント管理テーブル３２と、図４の（ｃ）に示す投稿情報管理テーブル３３と、図４の（ｄ）に示す匿名化情報管理テーブル３４とが記憶されているものとする。
【０１１６】
図１２は、イベント掲示板表示処理の詳細を示すフローチャートである。
携帯端末２の制御部２１は、携帯端末２の所定の操作をユーザになされることにより、予めインストールされているＳＮＳアプリケーションを起動する（ステップＳ３１１）。
【０１１７】
携帯端末２の制御部２１は、所望のイベントのイベント掲示板の表示要求と、記憶部２２に記憶されるユーザＩＤとを位置情報配信サーバ１に送信する（ステップＳ３１２）。
【０１１８】
位置情報配信サーバ１の制御部１１は、イベント掲示板の表示要求とユーザＩＤとを携帯端末２から受信すると（ステップＳ３１３）、イベント情報データベース４のイベント管理テーブル３２から該当するイベントを検索してそのイベントＩＤを取得し、取得したイベントＩＤの投稿情報を、投稿情報管理テーブル３３（投稿情報データベース５）から抽出して、投稿情報更新処理（図７参照）を実行する（ステップＳ３１４）。
【０１１９】
位置情報配信サーバ１の制御部１１は、ステップＳ３１３にて受信したユーザＩＤのユーザ情報を、ユーザ管理テーブル３１（ユーザ情報データベース３）から抽出し、抽出されたユーザ情報のフレンドユーザＩＤを抽出する（ステップＳ３１５）。
【０１２０】
位置情報配信サーバ１の制御部１１は、ステップＳ３１５にて抽出されたフレンドユーザＩＤが、ステップＳ３１４にて抽出された投稿情報のユーザＩＤと同一であるか否かを判断する（ステップＳ３１６）。
【０１２１】
位置情報配信サーバ１の制御部１１は、同一のユーザＩＤではないと判断した場合には（ステップＳ３１６のＮＯ）、イベントの掲示板の表示する匿名化情報を、投稿情報の匿名化度合と投稿時位置情報及び投稿日時とに基づいて生成する（ステップＳ３１７）。
【０１２２】
また、投稿情報の匿名化度合が指定されていない場合及び、ステップＳ３１６にて同一のユーザＩＤであると判断された場合（ステップＳ３１６のＹＥＳ）には、匿名化情報は生成されない。即ち、イベント掲示板に表示する位置情報は「投稿時位置情報」となり、イベント掲示板に表示する時間情報は「投稿日時」となる。
【０１２３】
位置情報配信サーバ１の制御部１１は、ステップＳ３１４にて抽出された投稿情報のユーザＩＤに基づいて、ユーザ管理テーブル３１のユーザ情報からユーザ名等を取得し、ステップＳ３１７にて生成された匿名化情報、又は正確な時間及び位置情報と、投稿情報の記事情報及びステップＳ３１４にて検索したイベントのイベント名、イベント属性と合わせてイベント掲示板の表示情報を生成し、イベント掲示板のＵＲＬを該当する携帯端末２に送信する（ステップＳ３１８）。
【０１２４】
携帯端末２の制御部２１は、位置情報配信サーバ１からイベント掲示板のＵＲＬとイベントＩＤとを受信し、受信したＵＲＬにアクセスして、携帯端末２の表示部２５にイベント掲示板画面４１（図８参照）を表示して（ステップＳ３１９）、処理を終了する。
【０１２５】
また、イベント掲示板更新処理（図７参照）と、イベント掲示板投稿受付処理（図９参照）は、第３の実施形態においても同様に実行される。
【０１２６】
以上の様に、第３の実施形態において、位置情報配信サーバ１は、携帯端末２からイベント掲示板の表示要求を受信すると、該当するイベントに関する投稿情報を抽出して、表示要求したユーザのフレンドユーザからの投稿情報については投稿直後から正確な位置情報及び時間情報が投稿直後から表示され、その他のユーザに対しては投稿日時及び投稿時位置情報が匿名化されるイベント掲示板を表示させることができる。
【０１２７】
＜第４の実施形態＞
続いて、図１３を参照して、第４の実施形態について説明する。
第４の実施形態では、位置情報配信サーバ１の匿名化情報データベース６には、閾値に対する精度の向上率が異なる図４（ｄ）に示す匿名化情報管理テーブル３４が複数準備されて、予め記憶されている。第４の実施形態では、イベントの開催場所及び開催時間に応じて、匿名化情報管理テーブル３４が選択される。
【０１２８】
即ち、図４の（ａ）〜（ｄ）に示す位置情報配信サーバ１が記憶するデータ構成例は、第４の実施形態においても同様に用いられる。また、図５に示す処理によって、携帯端末２にＳＮＳアプリケーションがインストールされて、イベント掲示板表示処理（図６参照）と、イベント掲示板投稿受付処理（図９参照）は、第４の実施形態においても同様に実行される。
【０１２９】
次に、位置情報配信サーバ１が、第４の実施形態において図６のステップＳ１４にて実行する投稿情報更新処理の詳細について図１３を参照して説明する。第４の実施形態では、図７に示す第１の実施形態に係るイベント掲示板更新処理に代えて、図１３に示すイベント掲示板更新処理を実行する。
【０１３０】
位置情報配信サーバ１の制御部１１は、図６のステップＳ１４にて取得したイベントＩＤのイベントの「場所」及び「期間」を参照して、位置情報配信サーバ１の匿名化情報データベース６から最適な匿名化情報管理テーブル３４を選択する（ステップＳ４１１）。なお、匿名化情報管理テーブル３４にイベントＩＤを持たせて、予め、イベントと匿名化情報管理テーブル３４を紐付けてもよい。
【０１３１】
位置情報配信サーバ１の制御部１１は、図６のステップＳ１４にて取得したイベントＩＤの投稿情報を、位置情報配信サーバ１の投稿情報管理テーブル３３（投稿情報データベース５）から抽出し、抽出された投稿情報のユーザＩＤが所有する携帯端末２の位置情報を取得する（ステップＳ４１２）。
【０１３２】
具体的には、位置情報配信サーバ１は、該当するユーザＩＤの携帯端末２に位置情報取得指示を送信し、携帯端末２は、ＧＰＳユニット（図示せず）によって位置情報を受信し、受信した位置情報と携帯端末２の記憶部２２に記憶されるユーザＩＤと位置情報配信サーバ１に送信する。
【０１３３】
位置情報配信サーバ１の制御部１１は、該当するユーザＩＤの投稿情報管理テーブル３３の検索時位置情報を、ステップＳ４１２にて受信した位置情報で更新する（ステップＳ４１３）。
【０１３４】
続いて、位置情報配信サーバ１の制御部１１は、投稿時位置情報と更新した検索時位置情報との間の距離を算出する（ステップＳ４１４）。即ち、携帯端末２のユーザが投稿時から移動した距離を算出する。
【０１３５】
位置情報配信サーバ１の制御部１１は、ステップＳ４１４にて算出した移動距離と、ステップＳ４１１にて選択された匿名化情報管理テーブル３４の匿名化パラメータとを照合する（ステップＳ４１５）。位置情報配信サーバ１は、算出した移動距離を超えない最大の閾値を、匿名化情報管理テーブル３４の匿名化パラメータから選択し、対応する匿名化度合を取得する。
【０１３６】
位置情報配信サーバ１は、該当するユーザＩＤの投稿情報管理テーブルの匿名化度合を、ステップＳ４１５にて取得された匿名化度合で更新して（ステップＳ４１６）処理を終了する。
【０１３７】
以上の様に、位置情報配信サーバ１は、携帯端末２からイベン掲示板の表示要求を受信すると、該当するイベントの時間及び場所によって最適な匿名化情報管理テーブル３４を選択し、該当するイベントに関する投稿情報を抽出して、選択された匿名化情報管理テーブル３４に基づいて投稿情報更新処理を実行して、投稿者の移動距離に応じて投稿日時及び投稿時位置情報をあいまいにし、携帯端末２に投稿情報が匿名化されたイベント掲示板を表示させることができる。これにより、イベントの時間帯や季節、地域等によって、投稿者の位置情報及び時間情報の精度が良くなる度合を変えて、イベント掲示板に表示することができる。
【０１３８】
＜第５の実施形態＞
続いて、図１４を参照して、第５の実施形態について説明する。
第５の実施形態では、一定時間間隔毎に、図７に示す投稿情報更新処理を実行して、図６に示すイベント掲示板表示処理をステップＳ１４にて実行しない点で、第１の実施形態と異なる。即ち、第１の実施形態では、閲覧者がイベント掲示板を閲覧する時点で最新の匿名化情報がイベント掲示板に表示されるが、第５の実施形態では、投稿情報更新処理が最後に実行された時点での匿名化情報がイベント掲示板に表示されることとなる。
【０１３９】
第５の実施形態においては、図４の（ａ）〜（ｄ）に示す位置情報配信サーバ１が記憶するデータ構成例は、第１の実施形態と同様に用いられる。
【０１４０】
第５の実施形態において、位置情報配信サーバ１の制御部は、定期的に（例えば、１０分間隔毎に）、図７に示すイベント掲示板更新処理を実行する。
【０１４１】
続いて図１４を参照して、位置情報配信サーバ１が携帯端末２にイベント掲示板を提示する第５の実施形態に係るイベント掲示板表示処理について説明する。イベント掲示板表示処理は、位置情報配信サーバ１が携帯端末２からイベント掲示板の表示要求を受信した際に、位置情報配信サーバ１の制御部１１と携帯端末２の制御部２１とが実行する処理である。
【０１４２】
携帯端末２の記憶部２２には、図５に示す処理によって予めＳＮＳアプリケーションがインストールされているものとする。また、位置情報配信サーバ１の記憶部１２には、予め、図４の（ａ）に示すユーザ管理テーブル３１と、図４の（ｂ）に示すイベント管理テーブル３２と、図４の（ｃ）に示す投稿情報管理テーブル３３と、図４の（ｄ）に示す匿名化情報管理テーブル３４とが記憶されているものとする。
【０１４３】
図１４は、イベント掲示板表示処理の詳細を示すフローチャートである。
携帯端末２の制御部２１は、携帯端末２の所定の操作をユーザになされることにより、予めインストールされているＳＮＳアプリケーションを起動する（ステップＳ５１１）。
【０１４４】
携帯端末２の制御部２１は、所望のイベントのイベント掲示板の表示要求を位置情報配信サーバ１に送信する（ステップＳ５１２）。
【０１４５】
位置情報配信サーバ１の制御部１１は、イベント掲示板の表示要求を携帯端末２から受信する（ステップＳ５１３）。
【０１４６】
位置情報配信サーバ１の制御部１１は、イベント情報データベース４のイベント管理テーブル３２からイベントを検索してそのイベントＩＤを取得し、取得したイベントＩＤの投稿情報を投稿情報管理テーブル３３（投稿情報データベース５）から抽出し、イベントの掲示板の表示する匿名化情報を投稿情報の匿名化度合と投稿時位置情報及び投稿日時とに基づいて生成する（ステップＳ５１４）。
【０１４７】
位置情報配信サーバ１の制御部１１は、ステップＳ５１４にて抽出された投稿情報のユーザＩＤに基づいて、ユーザ管理テーブル３１のユーザ情報からユーザ名等を取得し、匿名化情報、又は正確な位置情報及び時間情報と、投稿情報の記事情報及びステップＳ５１４にて検索したイベントのイベント名、イベント属性と合わせてイベント掲示板の表示情報を生成し、イベント掲示板のＵＲＬを該当する携帯端末２に送信する（ステップＳ５１５）。
【０１４８】
携帯端末２の制御部２１は、位置情報配信サーバ１からイベント掲示板のＵＲＬとイベントＩＤとを受信し、受信したＵＲＬにアクセスして、携帯端末２の表示部２５にイベント掲示板画面４１（図８参照）を表示して（ステップＳ５１６）、処理を終了する。
【０１４９】
また、イベント掲示板投稿受付処理（図９参照）は、第５の実施形態においても同様に実行される。
【０１５０】
以上の様に、第５の実施形態において、位置情報配信サーバ１は、定期的にイベント掲示板更新処理を実行し、携帯端末２からイベント掲示板の表示要求を受信すると、該当するイベントに関する投稿情報を抽出して、投稿日時及び投稿時位置情報が匿名化されたイベント掲示板を表示させることができる。
【０１５１】
なお、匿名化パラメータとしては、次のような設定を用いてもよい。ユーザ情報として周りに親しい人がいれば、位置情報を開示する。また、人口密度が高い地域では、位置情報を開示し、人口密度の低いところでは、位置情報を開示しない。また、イベントの開催日時を利用して、開催期間中は位置情報を開示する、または、開示しないように設定してもよい。
【０１５２】
以上、添付図面を参照しながら、本発明に係る位置情報配信サーバ１等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１５３】
１………位置情報配信サーバ
２………携帯端末
３………ユーザ情報データベース
４………イベント情報データベース
５………投稿情報データベース
６………匿名化情報データベース
７………ネットワーク
１１、２１………制御部
１２、２２………記憶部
１３………メディア入出力部
１４、２３………通信制御部
１５、２４………入力部
１６、２５………表示部
１７………周辺機器Ｉ／Ｆ部
３１………ユーザ管理テーブル
３２………イベント管理テーブル
３３………投稿情報管理テーブル
３４………匿名化情報管理テーブル
４１………イベント掲示板画面
【図１】
2014191414.tif 000003
【図２】
2014191414.tif 000004
【図３】
2014191414.tif 000005
【図４】
2014191414.tif 000006
【図５】
2014191414.tif 000007
【図６】
2014191414.tif 000008
【図７】
2014191414.tif 000009
【図８】
2014191414.tif 000010
【図９】
2014191414.tif 000011
【図１０】
2014191414.tif 000012
【図１１】
2014191414.tif 000013
【図１２】
2014191414.tif 000014
【図１３】
2014191414.tif 000015
【図１４】
2014191414.tif 000016